(57)【要約】【課題】  麻酔を用いずに動物の動きを抑制することができる動物用保定具を提供する。【解決手段】  動物２の前肢５ａ、５ｂのそれぞれを包むように、各前肢５ａ、５ｂに筒状にそれぞれ装着される２つの前肢保定部材６ａ，６ｂと、動物２の後肢のそれぞれを包むように、各後肢に筒状にそれぞれ装着される、前肢保定部材６ａ，６ｂよりも長手の２つの後肢保定部材８ａ，８ｂと、後肢保定部材８ａ，８ｂよりも長手の体幹保定部材１０であって、動物２の各前肢５ａ、５ｂに装着された前肢保定部材６ａ，６ｂと各後肢に装着された後肢保定部材８ａ，８ｂとの間で、動物２の体幹９を包むように該体幹９に筒状に装着される体幹保定部材１０と、前肢保定部材６ａ，６ｂ上で動物２の頭部１１を包むように、該頭部１１に円錐台の周面状に装着される頭部保定部材１２とによって、動物用保定具を構成する。【選択図】      図１
2018011549.tif 000002
【特許請求の範囲】
【請求項１】
弾性変形可能な軟質の合成樹脂製の板状体から成り、動物の左右２本の前肢のそれぞれを包むように、各前肢に筒状にそれぞれ装着される２つの前肢保定部材と、
弾性変形可能な軟質の合成樹脂製の板状体から成り、動物の左右２本の後肢のそれぞれを包むように、各後肢に筒状にそれぞれ装着される、前記２つの前肢保定部材よりも長手の２つの後肢保定部材と、
弾性変形可能な軟質の合成樹脂製の板状体から成る、前記２つの後肢保定部材よりも長手の体幹保定部材であって、動物の各前肢に装着された前記２つの前肢保定部材と、各後肢に装着された前記２つの後肢保定部材との間で、動物の体幹を包むように該体幹に筒状に装着される体幹保定部材と、
弾性変形可能な軟質の合成樹脂製の板状体から成り、前記２つの前肢保定部材上で動物の頭部を包むように、該頭部に円錐台の周面状に装着される頭部保定部材と、を含むことを特徴とする動物用保定具。
【請求項２】
弾性変形可能な軟質の合成樹脂から成り、前記２つの前肢保定部材および前記頭部保定部材を保持する頭部保持体であって、
前記２つの前肢保定部材の間に配設される中間壁部と、
前記一方の前肢保定部材の前記中間壁部とは反対側に、前記中間壁部と平行に配設される一方壁部と、
前記他方の前肢保定部材の前記中間壁部とは反対側に、前記中間壁部と平行に配設される他方壁部と、
前記中間壁部と前記一方壁部と前記他方壁部とを平行に並んだ状態で固定し、前記動物の頭部に装着された前記頭部保定部材を乗載して保持する保持壁部と、を有する頭部保持体を、さらに含むことを特徴とする請求項１に記載の動物用保定具。
【請求項３】
弾性変形可能な軟質の合成樹脂から成り、前記動物の体幹に筒状に装着された前記体幹保定部材が嵌合可能な嵌合凹部を有する体幹保持体を、さらに含むことを特徴とする請求項１または２に記載の動物用保定具。
【発明の詳細な説明】
【技術分野】
【０００１】
本発明は、愛玩動物とも呼ばれる猫および犬などの動物をコンピュータ断層撮影（Computed Tomography；略称ＣＴ）する際に、ＣＴ装置のベッド上に撮影対象である動物を、無麻酔で静止した状態に保持するために好適に用いることができる動物用保定具に関する。
【背景技術】
【０００２】
近年、愛玩動物とも呼ばれる猫および犬などの動物を診療する獣医科医院には、コンピュータ断層撮影装置が導入され、断層撮影画像による動物のより高度な診療が行なわれている。コンピュータ断層撮影では、撮影時に動物の動きを抑制する必要があるため、麻酔が用いられている。
【０００３】
このような麻酔の使用は、動物にとって好ましくなく、麻酔を用いずに動物の動きを抑制する手法が求められている。
【発明の概要】
【発明が解決しようとする課題】
【０００４】
本発明の目的は、麻酔を用いずに動物の動きを抑制することができる動物用保定具を提供することである。
【課題を解決するための手段】
【０００５】
本発明は、弾性変形可能な軟質の合成樹脂製の板状体から成り、動物の左右２本の前肢のそれぞれを包むように、各前肢に筒状にそれぞれ装着される２つの前肢保定部材と、
弾性変形可能な軟質の合成樹脂製の板状体から成り、動物の左右２本の後肢のそれぞれを包むように、各後肢に筒状にそれぞれ装着される、前記２つの前肢保定部材よりも長手の２つの後肢保定部材と、
弾性変形可能な軟質の合成樹脂製の板状体から成る、前記２つの後肢保定部材よりも長手の体幹保定部材であって、動物の各前肢に装着された前記２つの前肢保定部材と、各後肢に装着された前記２つの後肢保定部材との間で、動物の体幹を包むように該体幹に筒状に装着される体幹保定部材と、
弾性変形可能な軟質の合成樹脂製の板状体から成り、前記２つの前肢保定部材上で動物の頭部を包むように、該頭部に円錐台の周面状に装着される頭部保定部材と、を含むことを特徴とする動物用保定具である。
【０００６】
また本発明は、弾性変形可能な軟質の合成樹脂から成り、前記２つの前肢保定部材および前記頭部保定部材を保持する頭部保持体であって、
前記２つの前肢保定部材の間に配設される中間壁部と、
前記一方の前肢保定部材の前記中間壁部とは反対側に、前記中間壁部と平行に配設される一方壁部と、
前記他方の前肢保定部材の前記中間壁部とは反対側に、前記中間壁部と平行に配設される他方壁部と、
前記中間壁部と前記一方壁部と前記他方壁部とを平行に並んだ状態で固定し、前記動物の頭部に装着された前記頭部保定部材を乗載して保持する保持壁部と、を有する頭部保持体を、さらに含むことを特徴とする。
【０００７】
また本発明は、弾性変形可能な軟質の合成樹脂から成り、前記動物の体幹に筒状に装着された前記体幹保定部材が嵌合可能な嵌合凹部を有する体幹保持体を、さらに含むことを特徴とする。
【発明の効果】
【０００８】
本発明によれば、動物の左右２本の前肢には、前肢保定部材が筒状にそれぞれ装着され、動物の左右２本の後肢には、後肢保定部材が筒状にそれぞれ装着される。動物の体幹には、該体幹を包むように体幹保定部材が筒状に装着され、動物の頭部には、該頭部を筒用に頭部保定部材が筒状に装着される。
【０００９】
前記各前肢保定部材、各後肢保定部材、体幹保定部材および頭部保定部材は、弾性変形可能な軟質の合成樹脂製の板状体から成るので、動物の前肢、後肢、体幹および頭部の大きさに応じて適切な強さで巻き掛け、動物に強い押圧力または圧迫力を作用させずに該動物の動きを抑制することができる。これによって、麻酔を用いることなく動物を保定し、コンピュータ断層撮影などの保定状態を要する診療を行うことができる。
【００１０】
また本発明によれば、頭部保持体は、一方壁部と中間壁部との間に動物の一方の前肢保持部材を嵌合させ、他方壁部と中間壁部との間に動物の他方の前肢保持部材を嵌合させ、動物の各前肢の動きをより確実に抑制することができる。また、一方壁部、他方壁部および中間壁部には、保持壁部が固定されるので、保持壁部に動物の頭部に装着された頭部保定物を乗載して保持することができ、これによって動物の頭部を各前肢の上方で保定し、動物の姿勢を診療目的に適した姿勢に矯正することができる。
【００１１】
このような頭部保持体は、弾性変形可能な軟質の合成樹脂から成るので、動物に強い押圧力または圧迫力を作用させずに該動物の頭部の動きを抑制することができる。
【００１２】
また本発明によれば、体幹保持体の嵌合凹部に、動物の体幹に筒状に装着された体幹保定部材が嵌合させることができるので、動物の体幹の動きをより確実に抑制し、動物の姿勢を診療目的に適した姿勢に矯正することができる。
【図面の簡単な説明】
【００１３】
【図１】本発明の一実施形態の動物用保定具１を装着した動物２をコンピュータ断層撮影装置３のベッド４に乗載した状態を正面側から見たい斜視図である。
【図２】動物用保定具１の動物２への装着状態を模式的に示す底面図である。
【図３】筒状の前肢保定部材６ａ，６ｂの外観を示す斜視図である。
【図４】前肢保定部材６ａの展開図である。
【図５】筒状の後肢保定部材８ａ，８ｂの外観を示す斜視図である。
【図６】後肢保定部材８ａの展開図である。
【図７】筒状の前肢保定部材６ａに前肢５ａを引き込むための引込み具３４を示す図である。
【図８】引込み具３４の展開図である。
【図９】引込み具３４を前肢保定部材６ａに掛け止めた状態を示す図である。
【図１０】頭部保定部材１２の斜視図である。
【図１１】頭部保持体１３の斜視図である。
【図１２】頭部保持体１３の正面図である。
【図１３】頭部保持体１３の左側面図である。
【図１４】体幹保持体１４の断面図である。
【図１５】体幹保持体１４の平面図である。
【発明を実施するための形態】
【００１４】
図１は、本発明の一実施形態の動物用保定具１を装着した動物２をコンピュータ断層撮影装置３のベッド４に乗載した状態を正面側から見たい斜視図であり、図２は動物用保定具１の動物２への装着状態を模式的に示す底面図である。本実施形態では、獣医科医院において、コンピュータ断層撮影（Computed Tomography；略称ＣＴ）する際に、コンピュータ断層撮影装置（以下、「ＣＴ装置」と略記する場合がある）のベッド上に撮影対象である動物２を、無麻酔で保定するために用いられる動物用保定具１を想定して、以下に説明する。
【００１５】
本実施形態の動物用保定具１は、動物２の左右２本の前肢５ａ、５ｂのそれぞれを包むように、各前肢５ａ、５ｂに筒状にそれぞれ装着される２つの前肢保定部材６ａ，６ｂと、動物２の左右２本の後肢のそれぞれを包むように、各後肢に筒状にそれぞれ装着される２つの後肢保定部材８ａ，８ｂと、動物２の体幹９を包むように、該体幹９に筒状に装着される体幹保定部材１０と、動物２の頭部１１を包むように、該頭部１１に筒状に装着される頭部保定部材１２と、２つの前肢保定部材６ａ，６ｂおよび頭部保定部材１２を保持する頭部保持体１３と、動物２の体幹９に筒状に装着された体幹保定部材１０が嵌合可能な嵌合凹部と有する体幹保持体１４と、を含む。
【００１６】
本実施形態では、動物用保定具１は、前述のように、２つの前肢保定部材６ａ，６ｂと、２つの後肢保定部材８ａ，８ｂと、体幹保定部材１０と、頭部保定部材１２と、頭部保持体１３と、体幹保持体１４とを含んで構成されるが、衰弱などによって動きの少ない動物２である場合、および創傷・骨折などによって装着不可能である場合には、前述の２つの前肢保定部材６ａ，６ｂ、２つの後肢保定部材８ａ，８ｂ、体幹保定部材１０、頭部保定部材１２、頭部保持体１３および体幹保持体１４を適宜選択して、装着可能の部位に用いられる。
【００１７】
前述の２つの前肢保定部材６ａ，６ｂ、２つの後肢保定部材８ａ，８ｂ、体幹保定部材１０および頭部保定部材１２は、弾性変形可能な軟質の合成樹脂製の板状体から成る。また頭部保持体１３および体幹保持体１４は、弾性変形可能な軟質の合成樹脂から成る。弾性変形可能な軟質の合成樹脂としては、独立気泡の発泡合成樹脂、たとえば発泡ウレタン樹脂を用いることができる。この発泡ウレタン樹脂は、ファントム試験により、画像の品質に影響がないことを確認している。
【００１８】
図３は、筒状の前肢保定部材６ａ，６ｂの外観を示す斜視図であり、図４は前肢保定部材６ａの展開図である。２つの前肢保定部材６ａ，６ｂは、面対称に構成させるので、図４には一方の前肢保定部材６ａだけを示し、他方の前肢保定部材６ｂの説明は、重複を避けて省略する。一方の前肢保定部材６ａは、平面に展開した状態で長方形の底部１６と、底部１６の２つの長辺側の側端にそれぞれ一体に連なる台形状の一対の側部１７，１８とを有する。
【００１９】
各側部１７，１８は、展開状態で長辺に垂直な一直線に対して角度θ１を成して傾斜した一方端面１９，２０と、長辺に垂直な他方端面２１，２２とを有する。角度θ１は、たとえば１５°〜４５°に選ばれる。
【００２０】
各前肢保定部材６ａ，６ｂは、動物２の前肢５ａ、５ｂに一方端面１９，２０を体幹９側にしてそれぞれ装着される。一方端面１９，２０は、長辺に垂直な一直線に対して角度θ１を成して傾斜しているので、筒状の前肢保定部材６ａ，６ｂの一端部が動物２の体幹９に干渉することが防がれ、前肢５ａ、５ｂの付け根まで前肢保定部材６ａ，６ｂを挿入することができる。前肢保定部材６ａ，６ｂを動物２の前肢５ａ、５ｂに装着した状態では、上腕骨の付け根から足先にわたって覆われ、前肢５ａ、５ｂの関節における屈曲動作が抑制される。
【００２１】
前肢保定部材６ａ，６ｂの長辺方向一端部には、底部１６と一方側部１７との間および底部１６と他方側部１８との間に、長辺方向一端から長辺方向他端に向かって長辺方向に長さＬ１にわたって延びる切欠き２３，２４が形成される。このような切欠き２３，２４によって、底部１６の各切欠き２３，２４の間の部分１６ａを、その両側の側部１７，１８による拘束から解放し、前肢５ａ、５ｂの動きに追従させることができる。前肢保定部材６ａの長さＬ１は、前肢５ａを伸ばした状態における長さにほぼ等しい長さに選ばれる。
【００２２】
図５は、筒状の後肢保定部材８ａ，８ｂの外観を示す斜視図であり、図６は後肢保定部材８ａ，８ｂの展開図である。２つの後肢保定部材８ａ，８ｂは、面対称に構成されるので、図６には一方の後肢保定部材８ａだけを示し、他方の後肢保定部材８ｂの説明は、重複を避けて省略する。一方の後肢保定部材８ａは、平面に展開した状態で長方形の底部２６と、底部２６の２つの長辺側の側端に連なる台形状の第１側部２７と、第１側部の、底部２６とは短辺方向に反対側の側端に連なる台形状の第２側部２８とを有する。
【００２３】
各側部２７，２８は、展開状態で長辺に垂直な一直線に対して角度θ２，θ３を成して傾斜した一方端面２９，３０と、長辺に垂直な他方端面３１，３２とを有する。角度θ２，θ３は、たとえば１５°〜４５°にそれぞれ選ばれる。後肢保定部材８ａの長手方向の長さＬ３は、前述の前肢保定部材６ａの長さＬ１よりも長く、後肢７ａを伸ばした状態における長さにほぼ等しい長さに選ばれる。
【００２４】
後肢保定部材８ａ，８ｂは、動物２の後肢７ａ，７ｂに、一方端面２９，３０を体幹９側にしてそれぞれ装着される。一方端面２９，３０は、長辺に垂直な一直線に対して角度θ２，θ３を成して傾斜しているので、筒状の後肢保定部材８ａ，８ｂの一端部の一部分が動物２の体幹９に干渉することが防がれ、後肢７ａ，７ｂの付け根まで後肢保定部材８ａ，８ｂを挿入することができる。後肢保定部材８ａ，８ｂを動物２の後肢７ａ，７ｂに装着した状態では、大腿骨の付け根から足先にわたって覆われ、後肢７ａ，７ｂの関節における屈曲動作が抑制される。
【００２５】
図７は、筒状の前肢保定部材６ａに前肢５ａを引き込むための引込み具３４を示す図であり、図８は引込み具３４の展開図であり、図９は引込み具３４を前肢保定部材６ａに掛け止めた状態を示す図である。なお、他方の前肢保定部材６ｂ、各後肢保定部材８ａ，８ｂにおいても、引込み具３４を同様に用いることができるので、その一態様として、一方の前肢保定部材６ａに用いられる引込み具３４について説明する。
【００２６】
筒状の前肢保定部材６ａ内に動物２の前肢５ａを引き込んで伸ばした状態に維持するために、引込み具３４が用いられる。引込み具３４は、動物２の前肢５ａに巻掛けられる第１帯状部材３５と、第１帯状部材３５の長手方向一端部における一表面部に、接着または縫着して接合される第１ファスナ片３６と、第１帯状部材３５の長手方向他端部における他表面部に、接着または縫着して接合される第２ファスナ片３７と、第１帯状部材３５の長手方向両端部間の中間部にける一端部寄りの他表面部に、接着または縫着して接合される細幅の第２帯状部材３８と、第１帯状部材３５の長手方向両端部間の中間部における第２帯状部材３８寄りの他表面部に、接着または縫着して接合される細幅の第３帯状部材３９とを含む。
【００２７】
第１ファスナ片３６、第２ファスナ片３７、第２帯状部材３８および第３帯状部材３９は、マジックテープまたはファスナテープとの呼ばれる面状ファスナによって実現される。第１ファスナ片３６と第２ファスナ片３７とは、互いに着脱可能に係着させることができ、動物２の前肢５ａに第１帯状部材３５を巻き掛けて、適切な締付け位置で第１ファスナ片３６と第２ファスナ片３７とを係着させることによって、前肢５ａに引込み具３４を取り付けることができる。
【００２８】
前肢保定部材６ａの各側部１７，１８には、第３ファスナ片４１および第４ファスナ片４２が設けられる。第３ファスナ片４１と第２帯状部材３８とは、互いに着脱可能に係着させることができる。また、第４ファスナ片４２と第３帯状部材３９とは、互いに着脱可能に係着させることができる。前肢保定部材６ａを展開状態で、前肢５ａに前述のように第１帯状部材３５を巻き掛けて引込み具３４を取り付けた後、第２および第３帯状部材３８，３９を、図９に示されるように第３および第４ファスナ片４１，４２を適切な引出し位置まで引き出して係着させることによって、前肢５ａを伸ばした状態で、前肢保定部材６ａを前肢５ａに装着し、前肢５ａの動きを抑制することができる。
【００２９】
他方の前肢保定部材６ｂ、各後肢保定部材８ａ，８ｂについても、同様な構成によって引込み具３４を用いて、他方の前肢５ｂおよび各後肢７ａ，７ｂに他方の前肢保定部材６ｂよび各後肢保定部材８ａ，８ｂを装着し、他方の前肢５ｂおよび各後肢７ａ，７ｂの動きを抑制することができる。
【００３０】
前述の各前肢保定部材６ａ，６ｂ、各後肢保定部材８ａ，８ｂおよび体幹保定部材１０は、筒状に湾曲させた状態から自己の弾性回復力および動物２の動きによって開放してしまうことを防止するために、筒状に湾曲させた状態で互いに対向し、または近接して重なった両端部同士を分離可能に、該両端部間にわたって可撓性を有する帯状に止着部材が貼付けられる。このような止着部材としては、たとえば前述の帯状の面状ファスナであってもよく、あるいは粘着テープであってもよい。
【００３１】
図１０は、頭部保定部材１２の斜視図である。頭部保定部材１２は、弾性変形可能な軟質の合成樹脂製の板状体から成り、平面状に展開した状態で大略的に扇状のカバー体４４と、カバー体４４の周方向（すなわち、展開状態では長手方向）の一端部の内面に、接着または縫着によって接合される第１ファスナ片４５と、カバー体４４の周方向の他端部の外面に、接着または縫着によって接合される第２ファスナ片４６とを有する。
【００３２】
本実施形態では、動物２の頭部１１を位置決めするために２つのパッド部材４７，４８がカバー体４４の周方向中央部の両側に互いに近接して設けられる。これらのパッド部材４７，４８には、厚みの小さい直方体状のブロックから成り、厚み方向一方に表面には、第３、第４ファスナ片４９，５０が接着して接合させる。カバー他オ４４の周方向中央部の両側の内面には、第５、第６ファスナ片５１，５２が接着または縫着によって接合される、これらの第３〜第６ファスナ片４９〜５２は、前述と同様な面状ファスナから成る。第３ファスナ片４９と第５ファスナ片５１とは、着脱可能であり、第４ファスナ片５０と第６ファスナ片５２とは、着脱可能である。
【００３３】
第１ファスナ片４５と第２ファスナ片４６とを重ねて接合した状態では、カバー体４４は円錐台の周面状の筒体となり、動物２の頸部を外囲する小径開口部５３と、小径開口部５３よりも大径の大径開口部５４とを有する円錐台状である、いわばメガホン状に構成され、カバー体４４によって頭部１１の動きを抑制することができる。ここに、円錐台状とは、軸線方向に断面積が小さくなり、周方向に分断された構成を含む。
【００３４】
図１１は、頭部保持体１３の斜視図であり、図１２は頭部保持体１３の正面図であり、図１３は頭部保持体１３の左側面図である。本実施形態の頭部保持体１３は、２つの前肢保定部材６ａ，６ｂの間に配設される中間壁部５７と、一方の前肢保定部材６ａの中間壁部５７とは反対側に、中間壁部５７と平行に配設される一方壁部５８と、他方の前肢保定部材６ｂの中間壁部５７とは反対側に、中間壁部５７と平行に配設される他方壁部５９と、中間壁部５７と一方壁部５８と他方壁部５９とを平行に並んだ状態で固定し、動物２の頭部１１に装着された頭部保定部材１２を乗載して保持する円錐台の一部を成す位置決め凹部６０が形成された保持壁部６１とを有する。このような頭部保定部材１２は、弾性変形可能な軟質の合成樹脂、たとえば発泡ウレタン樹脂の一体成形材によって実現されてもよい。
【００３５】
図１４は、体幹保持体１４の断面図であり、図１５は体幹保持体１４の平面図である。図１４は図１５の切断面線ＸＩＶ−ＸＩＶから見た断面を示す。本実施形態の体幹保持体１４は、弾性変形可能な軟質の合成樹脂から成り、動物２の体幹９に筒状に装着された体幹保定部材１０が嵌合可能な嵌合凹部６３を有する断面凹状の成形体から成る。体幹保持体１４は、一対の側壁部６４，６５と、各側壁部６４，６５の互いに対向する内面から互いに近接方向に下方に階段状に傾斜して連なる一対の傾斜部６６，６７と、各側壁部６４，６５および各傾斜部６６，６７の下面に連なる板状の底部６８と有する。このような体幹保持体１４は、弾性変形可能な軟質の合成樹脂、たとえば発泡ウレタン樹脂の一体成形材によって実現されてもよい。
【００３６】
本実施形態によれば、動物２の左右２本の前肢５ａ、５ｂには、前肢保定部材６ａ，６ｂが筒状にそれぞれ装着され、動物２の左右２本の後肢７ａ，７ｂには、後肢保定部材８ａ，８ｂが筒状にそれぞれ装着される。動物２の体幹９には、該体幹９を包むように体幹保定部材１０が筒状に装着され、動物２の頭部１１には、頭部保定部材１２が筒状に装着される。
【００３７】
各前肢保定部材６ａ，６ｂ、各後肢保定部材８ａ，８ｂ、体幹保定部材１０および頭部保定部材１２は、弾性変形可能な軟質の合成樹脂製の板状体から成るので、動物２の前肢５ａ，５ｂ、後肢、体幹９および頭部１１の大きさに応じて適切な強さで巻き掛け、動物２に強い押圧力または圧迫力を作用させずに該動物２の動きを抑制することができる。これによって、麻酔を用いることなく動物２を保定し、コンピュータ断層撮影などの保定状態を要する診療を行うことができる。
【００３８】
また、頭部保持体１３は、一方壁部５８と中間壁部５７との間の一方空間に動物２の一方の前肢保持部材６ａを嵌合させ、他方壁部５９と中間壁部５７との間の他方空間に動物２の他方の前肢保持部材６ｂを嵌合させることができるので、動物２の各前肢５ａ、５ｂの動きをより確実に抑制することができる。また、一方壁部５８、他方壁部５９および中間壁部５７には、保持壁部６１が固定されるので、保持壁部６１の位置決め凹部６０に動物２の頭部１１に装着された頭部保定部材１２を乗載して位置決めし、保持することができ、これによって動物２の頭部１１を各前肢５ａ、５ｂの上方で保定し、動物２の姿勢を診療目的、たとえば断層撮影に適した姿勢に矯正することができる。
【００３９】
このような頭部保持体１３は、弾性変形可能な軟質の合成樹脂から成るので、動物２に強い押圧力または圧迫力を作用させずに該動物２の頭部１１の動きを抑制することができる。
【００４０】
また本実施形態によれば、体幹保持体１４の嵌合凹部６３に、動物２の体幹９に筒状に装着された体幹保定部材１０を嵌合させることができるので、動物２の体幹９の動きをより確実に抑制し、動物２の姿勢を診療目的、たとえば断層撮影に適した姿勢に矯正することができる。
【００４１】
前述の実施形態では、動物２が猫である場合について述べたが、本発明はこれに限るものではなく、その他の動物、たとえば小型犬、中型犬、兎などの診療対象とする各種の動物に本発明の動物用保定具を好適に実施し、検査、測定、診断、治療などの各種の用途に用いることができる。
【００４２】
本発明の動物用保定具は、前述の発泡ウレタン樹脂に限るものではなく、ファントム試験によって画像の品質を低下させないものであれば、各種の弾性変形可能な軟質の合成樹脂を用いることができる。
【符号の説明】
【００４３】
１  動物用保定具
２  動物
３  コンピュータ断層撮影装置
４  ベッド
５ａ、５ｂ  前肢
６ａ，６ｂ  前肢保定部材
８ａ，８ｂ  後肢保定部材
９  体幹
１０  体幹保定部材
１１  頭部
１２  頭部保定部材
１３  頭部保持体
１４  体幹保持体
２３，２４  切欠き
５７  中間壁部
５８  一方壁部
５９  他方壁部
６０  位置決め凹部
６１  保持壁部
６３  嵌合凹部
【図１】
2018011549.tif 000003
【図２】
2018011549.tif 000004
【図３】
2018011549.tif 000005
【図４】
2018011549.tif 000006
【図５】
2018011549.tif 000007
【図６】
2018011549.tif 000008
【図７】
2018011549.tif 000009
【図８】
2018011549.tif 000010
【図９】
2018011549.tif 000011
【図１０】
2018011549.tif 000012
【図１１】
2018011549.tif 000013
【図１２】
2018011549.tif 000014
【図１３】
2018011549.tif 000015
【図１４】
2018011549.tif 000016
【図１５】
2018011549.tif 000017
【手続補正書】
【提出日】平成29年4月21日(2017.4.21)
【手続補正１】
【補正対象書類名】図面
【補正対象項目名】全図
【補正方法】変更
【補正の内容】
【図１】
2018011549.tif 000018
【図２】
2018011549.tif 000019
【図３】
2018011549.tif 000020
【図４】
2018011549.tif 000021
【図５】
2018011549.tif 000022
【図６】
2018011549.tif 000023
【図７】
2018011549.tif 000024
【図８】
2018011549.tif 000025
【図９】
2018011549.tif 000026
【図１０】
2018011549.tif 000027
【図１１】
2018011549.tif 000028
【図１２】
2018011549.tif 000029
【図１３】
2018011549.tif 000030
【図１４】
2018011549.tif 000031
【図１５】
2018011549.tif 000032